(57)【特許請求の範囲】
【請求項１】
廊下の所定部分に両開きとなるようヒンジ止めされた一対の親扉と、
当該親扉と反対方向に両開きとなるよう当該親扉にヒンジ止めされ、当該親扉よりも小径な一対の子扉と
から構成され、
前記ヒンジ止めした一方の親扉と子扉とで構成する一方の片面の扉、および前記ヒンジ止めした他方の親扉と子扉とで構成する他方の片面の扉によって廊下を閉鎖するスイング型防火扉であって、
一方の片面の扉において、前記廊下を閉鎖した状態で他方の片面の扉に対向する部位に全高に亘る態様で溝を形成し、かつ
他方の片面の扉において、前記廊下を閉鎖した状態で一方の片面の扉に対向する部位に溝に嵌入される突起を全高に亘る態様で形成することを特徴とするスイング型防火扉。
【請求項２】
病院の防火区画部に両開きとなるようヒンジ止めされた一対の親扉と、
当該親扉と反対方向に両開きとなるよう当該親扉にヒンジ止めされ、当該親扉よりも小径な一対の子扉と
から構成され、
前記ヒンジ止めした一方の親扉と子扉とで構成する一方の片面の扉、および前記ヒンジ止めした他方の親扉と子扉とで構成する他方の片面の扉によって防火区画を閉鎖するスイング型防火扉であって、
一方の片面の扉において、前記防火区画を閉鎖した状態で他方の片面の扉に対向する部位に全高に亘る態様で溝を形成し、かつ
他方の片面の扉において、前記防火区画を閉鎖した状態で一方の片面の扉に対向する部位に溝に嵌入される突起を全高に亘る態様で形成することを特徴とするスイング型防火扉。
【請求項３】
扉のヒンジ止めがトルク調整可能であることを特徴とする請求項２に記載の病院用スイング型防火扉。
【発明の詳細な説明】
【０００１】
【発明の属する技術分野】
本発明は、スイング型防火扉に関し、特に、病院及び老健施設の防火区画部に設けて有効な病院用スイング型防火扉を含むスイング型防火扉に関する。
【０００２】
【従来の技術】
建物に防災上の避難計画を確立しておくことは重要な課題であり、各種防災設備の配置やメンテナンスが義務付けられている。特に、病院や老健施設においては最も大切なテーマであり、大規模な医療施設、老人介護施設においては、従来から図５に示すように、火災時に避難して安全性を確保する目的で建物の外周部にバルコニーを設置する事例が多く採用されてきた。
しかし、この方式は、建物の外観が画一的になること、建物の外周部に設置されたバルコニーは日常的にはほとんど使用されないばかりでなく、被災に際しての避難時においては下記の理由から有効に機能しないものがあるとの指摘があるように、あまり適当な計画とは言えないものがある。
【０００３】
一般の病院３０は建物の両側に配置された複数の病室３１と看護婦が詰めているナースステーション３２を中心にして、デイルーム３３及びエレベーター室３４等の諸設備室で構成されている。
そして、建物の周辺には上述のように避難路としてのバルコニー３５が回廊の如く病室間の境もなく設置されているが、一般の病院においては、自力避難できる患者の割合は約５割程度であり、ストレッチャーや車椅子での避難を考慮すると、避難上充分なバルコニー幅員を確保していると言い難いものや、建物によっては窓台を跨ぐ避難を前提にしているものも見受けられ、避難に有効なバルコニーとは言い難いものがある。
【０００４】
このため、安全区画を形成してフロアの安全性を確保する対策として水平避難方式が提案されている。水平避難方式は、図６に示めすように、フロアーを廊下３６に設けた防火扉３７によって複数の区画３８，３９に区分しておき、仮に区画３８の病室４０から火災が発生した場合に、火災ゾーンの区画３８からの避難者が滞留できる非火災ゾーンの区画３９に逃げ込むことで避難者の安全性を確保しようとする方法であり、自力避難、階段を使っての避難の困難な入院患者の多い施設においては有効な考え方である。
【０００５】
水平避難は、防火扉３７を押し開いて水平移動することで避難を完了するものであるが、いずれの区画に火災が発生するか予測できないことから、廊下に設ける扉は一般にいずれの方向からも開放可能なように図７のようなＳ字状に両開きするものが多く敷設されている。
防火扉３７は、常時開放の原則から常時は図示のように壁側の戸袋４１に納められているが、火災発生の時は図示の矢印４２、４２の如く両側から回動して廊下３６を閉鎖する。そして、図の右側が火災区画の場合には避難矢印４３の方向には片側の防火扉３７が開放して確実な避難と火災の拡大を阻止している。
【０００６】
従来のＳ字型防火扉は、図示の如く、避難方向に開く部分が廊下幅員の半分になるために、避難者の流れを阻害してしまう点や、戸袋が同一方向に揃わないために廊下の美観を損ねてしまう等の問題点があった。
【０００７】
【発明が解決しようとする課題】
本発明は、避難に供する扉幅を拡大して避難時の動向や介助行動をし易くし、避難時間の短縮と安全性の向上を図れる病院用スイング型防火扉を提供するものである。
【０００８】
【課題を解決するための手段】
本発明によるスイング型防火扉は、廊下の所定部分に自閉状にヒンジ止めされた両開きの親扉と、親扉よりも小径で親扉に自閉状にヒンジ止めされて親扉と反対方向に両開きの子扉から構成されており、避難に供する扉幅を拡大している。特に、病院用スイング型防火扉では、病院の防火区画部に自閉状にヒンジ止めされた両開きの親扉と、親扉よりも小径で親扉に自閉状にヒンジ止めされて親扉と反対方向に両開きの子扉から構成され、扉のヒンジ止めをトルク調整可能にすることを特徴としており、病院における常時開放、非常時閉鎖の機能を確立し扉の開閉力を制御できるようにしている。
【０００９】
【発明の実施の形態】
本発明によるスイング型防火扉を、図面に基づいて以下に説明する。
図１は、本発明によるスイング型防火扉が廊下を閉鎖した状態を立面図で示している。
スイング型防火扉１は、同方向に両開きの開閉扉であり、片面の扉２、３はそれぞれが扉枠４にヒンジ止め７された親扉５と親扉５にヒンジ止め８された子扉６とから構成されている。
スイング型防火扉１は、常用される防火扉と同様にヒンジ止め７され戸袋に収納されているので、防災区画を形成する必要が生じた場合には、感知器との連動で、常用される電磁レリーズのような常時開放式扉保持機構（図示せず）が作動してスイング型防火扉１を閉鎖し、図示のように自動的に閉鎖状態を形成する。
【００１０】
図２、３は、図１の各部を部分断面的に示している。
図２は、親扉と子扉との係合関係を示す図１イーイ矢視の断面図である。
図示のように、親扉５は扉枠４の上側に設けられたストッパー９に当接して閉鎖状態を形成しており、親扉５の開放は図の右側を示す矢印１０の方向である。上述のように、子扉６は親扉５にヒンジ止め８しており親扉５の開口部上辺に設けてある召合せ部１１で係合しているので、親扉５の開放は子扉６と一体に行われることになる。
子扉６の開放は、親扉５との召合せ部１１の関係から図の右側を示す矢印１２の方向である。
【００１１】
図３は、片面の扉同志の係合関係を示す図１ローロ矢視の断面図である。
片面の扉２の係合面１３には、扉の縦方向に溝１４が形成してある。溝１４には、バネ１５で支えられ扉の全高にわたる長さの突起１６が嵌入されており、相手方である片面の扉３の係合面１７に設けられた浅い溝１８に挿入されている。突起１６の先端部分は、扉を閉鎖させる時に係合面１７の円形傾斜面に沿ってバネに抗して押圧され、随時後退しながら作動し最終的に図示のように浅い溝１８に納まるものであり、閉鎖時の密閉度を高めて火災区画からの火炎や煙の伝搬を防止している。
【００１２】
図４は、片面の扉の開放をそれぞれ別の状態で示す斜視図である。
本発明によるスイング型防火扉は、本来、片面の扉２、３を同一方向に開放、閉鎖させることで、避難通路の確保を廊下の全域に近い範囲に拡大しているものであるが、それぞれの避難方向に対する扉の開放状態を以下に説明する。
避難の方向が親扉５の開放方向である場合を片面の扉２は例示している。この例では、親扉５と子扉６とが召合せ部１１によって一体になって開放されることになり、親扉５、５の両開きによる廊下一杯に拡大した大きな避難路を形成できる。
次に、避難方向が親扉５の開放方向と逆である場合を片面の扉３で例示している。この例では、親扉５は扉枠４のストッパー９によって開放を阻止されるので、子扉６のみが開放することになり、子扉６、６の両開きによる拡大した避難路を形成できる。
以上のように、本発明によるスイング型防火扉は、狭い廊下の場合でも避難時のストレッチャー等の介助行動を損なうことなく安全性の向上を確立できる。
【００１３】
上述したように、本発明によるスイング型防火扉は、自閉状のヒンジ止め７、８で壁に取り付けられている。
ヒンジを自閉状に付勢するためには種々の方式が考慮されるが、本実施の形態では、つる巻きバネを採用して自閉するときの回動速度や防火区画を形成してからの扉前後の圧力差に対する開閉力の平衡を図っている。
上記の手段は、火災時においても空調設備の稼働は継続されており、特に加圧防煙システムのように空調の圧力を積極的に活用する防煙方式の場合には、扉前後の圧力差を大きくとれることが重要な要素になってくるからである。
【００１４】
実験に依れば、空調機ファンの回転数を上げることで風量を増加させ、これによって扉の通過風量を増大させても扉前後の圧力差はほとんど増大しないが、図示していないトルク調整機構によりつる巻きバネの巻き込み数を変えることでトルクを調整し、これによって扉の開度を小さくする方が扉前後の圧力差を大きく得られることが判明している。
以上の理由から、本実施の形態ではつる巻きバネの選択をしているものであるが、本発明によるスイング型防火扉は何らこれに限定されるものでなく、適用する周囲の事情を考慮して各種の選択が可能であることは当然である。
【００１５】
【発明の効果】
本発明によるスイング型防火扉は、廊下の所定部分に自閉状にヒンジ止めされた両開きの親扉と、親扉よりも小径で親扉に自閉状にヒンジ止めされて親扉と反対方向に両開きの子扉から構成されているので、避難に供する扉幅を拡大して避難時の安全性の向上と避難時間の短縮を図り、廊下の美観や使用を向上させる効果を奏している。
【００１６】
特に、病院用スイング型防火扉では、病院の防火区画部に自閉状にヒンジ止めされた両開きの親扉と、親扉よりも小径で親扉に自閉状にヒンジ止めされて親扉と反対方向に両開きの子扉から構成され、扉のヒンジ止めをトルク調整可能にすることを特徴としているので、病院における防火扉の常時開放、非常時閉鎖の機能を確立し、避難時の介護行動等をし易くして介護負担の低減と安全性を高め、併せて扉の開閉力を制御して加圧防煙システムにも効率的に対応できる効果を発揮している。
【図面の簡単な説明】
【図１】本発明によるスイング型防火扉の立面図
【図２】スイング型防火扉の召合せ部断面図
【図３】片面の扉同志の係合部断面図
【図４】避難時における親扉、子扉の開放図
【図５】大規模病院の平面図
【図６】防火区画の形成図
【図７】Ｓ字型防火扉の平面図
【符号の説明】
１  スイング型防火扉
２、３  片面の扉
４  扉枠
５  親扉
６  子扉
７、８  自閉状ヒンジ止め
９  ストッパー
１１  召合せ部
１３、１７  係合面
１４  溝
１５  バネ
１６  突起
１８  浅い溝
３０  病院
３１  病室
３２  ナースステーション
３３  デイルーム
３４  エレベーター室
３５  バルコニー
３６  廊下
３７  防火扉
３８  火災区画
３９  非火災区画
４０  火元病室
４１  戸袋
【図１】
0004013099.tif 000002
【図２】
0004013099.tif 000003
【図３】
0004013099.tif 000004
【図４】
0004013099.tif 000005
【図５】
0004013099.tif 000006
【図６】
0004013099.tif 000007
【図７】
0004013099.tif 000008